(57)【要約】【課題】  ポータブルトイレを重くすること無く簡単な操作でバケツの取出し、格納ができるポータブルトイレを提供する。【解決手段】  使用者が着座する椅子部材１の座面にバケツ６と、便座４とを備えたポータブルトイレにおいて、ノズル２ｂを備えた洗浄装置２と、格納状態であるノズル２ｂの下方にノズルから噴射された洗浄水をバケツ内に案内する案内板８と、案内板８の下方に位置し、案内板８とオーバーラップＬするように椅子部材１にバケツ６を備え、バケツ６は、前記案内板８とオーバーラップＬする第1位置と、第１位置から前方側にスライドした第２位置とを取り得るように椅子部材１に対してスライド自在に載置されているとともに、バケツ６には、前記椅子部材１の前方側で略水平に格納される取っ手９が揺動自在に枢着され、取っ手９を格納状態とすることでバケツ６のスライドが規制されるように構成されている。【選択図】  図１
2008104833.tif 000002
【特許請求の範囲】
【請求項１】
使用者が着座する椅子部材と、椅子部材の座面に着脱自在に載置される排泄物の容器となるバケツと、前記椅子部材に後端が揺動自在に枢着され、起立位置と前記バケツの上面を覆う水平位置とを取り得る便座とを備えたポータブルトイレにおいて、
前記便座の着座時における使用者の背中側となる後部側に設けられたノズルを備えた洗浄装置と、
格納状態にある前記ノズルの下方に位置し該ノズルから噴射された洗浄水をバケツ内に案内する案内板と、
前記案内板の下方に位置し、該案内板とオーバーラップするように椅子部材に載置された前記バケツを備え、
該バケツは、前記案内板とオーバーラップする第1位置と、第１位置から前方側にスライドした第２位置とを取り得るように前記椅子部材に対してスライド自在に載置されているとともに、前記バケツには、前記椅子部材の前方側で略水平な格納状態を取り得る取っ手が揺動自在に枢着され、該取っ手を前記格納状態とすることで前記椅子部材に対する前記バケツの第２位置へのスライドを規制し、第１位置にバケツを位置規制するように構成されていることを特徴とするポータブルトイレ。
【請求項２】
請求項１に記載のポータブルトイレにおいて、前記椅子部材には、前記取っ手を格納状態で略水平に格納されるよう下方に段下げされた階段状の格納部が形成され、前記取っ手は、前記格納部の縦面に当接することで前記バケツのスライドを規制するように構成されていることを特徴とするポータブルトイレ。
【請求項３】
請求項２に記載のポータブルトイレにおいて、前記取っ手は前記格納部の縦面に対して上下方向の動きが規制されるように嵌合機構を介して支持されるように構成されていることを特徴とするポータブルトイレ。
【請求項４】
請求項２に記載のポータブルトイレにおいて、前記便座が水平位置とされることで前記取っ手を覆い、これによって該取っ手を前記格納部内に格納規制することで前記バケツの第１位置から第２位置へのスライドが規制されるように構成されていることを特徴とするポータブルトイレ。
【請求項５】
請求項４に記載のポータブルトイレにおいて、少なくとも前記バケツの第１位置で前記便座を水平位置とすることで前記バケツ上端面に着座するように構成され、前記便座の着座でバケツを押圧してバケツの動きが規制されるように構成されていることを特徴とするポータブルトイレ。
【請求項６】
請求項５に記載のポータブルトイレにおいて、前記バケツは、少なくとも第１位置で前記椅子部材の上面に対してバケツの上端面が突出するように格納されるとともに、前記便座は、前記水平位置で前記バケツ上端面に着座するように構成され、前記便座の着座でバケツを押圧してバケツの動きが規制されるように構成されていることを特徴とするポータブルトイレ。
【請求項７】
請求項２に記載のポータブルトイレにおいて、前記バケツが第２位置にある時に前記取っ手が格納部の周縁に当接することで取っ手が格納部内に格納されないように構成するとともに、前記取っ手が当接する周縁もしくは、該周縁に当接する取っ手部に、取っ手の未格納状態で取っ手の傾斜角度が大になるようにする傾斜角度拡大手段が形成されていることを特徴とするポータブルトイレ。
【請求項８】
請求項６に記載のポータブルトイレにおいて、前記傾斜角度拡大手段は、前記格納部の周縁に設けられた上方凸部もしくは、前記周縁に当接する取っ手部に形成された下方凸部であることを特徴とするポータブルトイレ。
【発明の詳細な説明】
【技術分野】
【０００１】
本発明は搬送が可能なポータブルトイレに関し、詳細には便座に洗浄装置が設けられたポータブルトイレに関するものである。
【背景技術】
【０００２】
老人や身障者などが各自の部屋や病室などで用を足すために用いる椅子式のポータブルトイレが知られているが、近年では便座にお尻を洗浄する洗浄装置が設けられたポータブルトイレも普及している。例えば特許文献１参照。
【０００３】
お尻を洗浄する洗浄装置ではノズルの格納状態でノズルを洗浄するのが一般的であるが、このノズルの洗浄に用いた洗浄水を、ポータブルトイレでは椅子に載置されているバケツでトラップする必要があることから、一般的にはノズルの下方にオーバーラップさせる形でバケツを位置させ、これによって洗浄水を確実にトラップできるように構成している。そのため、バケツの取出し時には、バケツを単に垂直に持ち上げるだけでは、バケツ後端とノズルや、ノズルの下方に更にバケツに洗浄水を案内する案内板を設けているような場合はどうしてもこれら部材にバケツの後端が干渉してしまうという問題があった。
【０００４】
この対策のために特許文献１では、バケツを椅子に直接載置するのではなく、前後方向にスライドする引き出し形式の荷重受け部材上にバケツを載置するように構成している。これにより、排泄物を捨てる際には、まずこの荷重受け部材を介してバケツをオーバーラップが解消できる前方位置まで一旦スライドさせて、その状態でバケツを垂直方向上方に引き上げることでバケツが案内板に干渉することなく取り出せるように工夫したものである。
【０００５】
【特許文献１】特開２００６−９４９０１号公報
【発明の開示】
【発明が解決しようとする課題】
【０００６】
上記のように構成された特許文献１の構造においては、バケツを案内板に干渉することなく取り出すことが可能になっているものの、その取出し方法がバケツを持ち上げるという一つの動作では行えないことから、どうしても煩わしさが残るという問題に加え、用を足さない時や使用者の居場所に合わせて搬送をしたいというポータブルトイレには欠かすことができないニーズに対して、この特許文献１の構造では、引き出し式の荷重受け部材のみならずレール等も必要になってしまうことから必然的に重くなってしまい、老人や身体が不自由な人がこのポータブルトイレを搬送するような場合には特に辛い作業を強いることになるという問題があった。
【０００７】
さらに、荷重受け部材の格納が確実に行われなかった場合には、バケツが正規な格納状態にないことになるためノズル洗浄用の洗浄水がバケツにトラップされなかったり、排泄物を確実にトラップできなかったり、排泄物の落下に伴うバケツ内の溜め水の飛び散りが過大に生じてしまうなどの問題もあった。
【０００８】
また、ポータブルトイレは搬送されることが日常的に行われるが、バケツを正規な格納状態にしたとしても、搬送に伴う振動等でバケツが正規な状態からずれてしまい、そのことに気づかずに用を足してしまい上記の問題が生じてしまうと言う問題もあった。
【課題を解決するための手段】
【０００９】
上記の課題を解決するため、使用者が着座する椅子部材と、椅子部材の座面に着脱自在に載置される排泄物の容器となるバケツと、前記椅子部材に後端が揺動自在に枢着され、起立位置と前記バケツの上面を覆う水平位置とを取り得る便座とを備えたポータブルトイレにおいて、
前記便座の着座時における使用者の背中側となる後部側に設けられたノズルを備えた洗浄装置と、
格納状態である前記ノズルの下方に位置し該ノズルから噴射された洗浄水をバケツ内に案内する案内板と、
前記案内板の下方に位置し、該案内板とオーバーラップするように椅子部材に載置された前記バケツを備え、
該バケツは、前記案内板とオーバーラップする第1位置と、第１位置から前方側にスライドした第２位置とを取り得るように前記椅子部材に対してスライド自在に載置されているとともに、前記バケツには、前記椅子部材の前方側で略水平な格納状態を取り得る取っ手が揺動自在に枢着され、該取っ手を前記格納状態とすることで前記椅子部材に対する前記バケツの第２位置へのスライドを規制し、第１位置にバケツを位置規制するように構成されている。
【００１０】
上記のように構成されていることから、バケツ内の排泄物を捨てるに当たっては、単にバケツの前方側に設けられた取っ手を引き出すように持ち上げるだけでバケツが前方にスライドし、取っ手が垂直状態になった状態ではバケツの後端と案内板との干渉も回避されていることから、一つの取出し動作でバケツを確実に簡単に取り出すことができる。
【００１１】
また、バケツの格納に際してバケツが正規な第１位置にない限り取っ手を水平な正規な格納状態にできないように構成されていることから、バケツが正規な位置にないことを確実に認識できるようになる。
【００１２】
さらに、バケツが正規な第１位置に格納されて取っ手を水平な正規な格納状態にすることで、バケツが第１位置から第２位置にスライドすることが抑制されるように構成されているため、ポータブルトイレの搬送に伴う振動等でバケツが正規な位置からずれてしまうという問題をも防止できるものである。さらにそれを単に取っ手を格納するという煩わしい作業なしにできることから、お年寄りや身体が不自由な人にも作業できるというポータブルトイレという分野において、実に実用性の高い効果を奏するものである。
【００１３】
さらに、バケツをスライドさせるように構成しているためバケツの格納状態でバケツの椅子部材に対する拘束力が弱くなることからバケツの支持剛性が低く、よって用を足した時に騒音が大きくなると言う問題があったが、取っ手を格納することでスライドを規制するように拘束力を与えるためバケツの支持剛性が高まって騒音を軽減できるというポータブルトイレでは非常に大きな課題である騒音という問題をも同時に解決できるものである。
【００１４】
請求項２に記載のポータブルトイレにおいては、前記椅子部材には、前記取っ手を格納状態で略水平に格納されるよう下方に段下げされた階段状の格納部が形成され、前記取っ手は、前記格納部の縦面に当接することで前記バケツのスライドを規制するように構成されている。
【００１５】
本件発明においては、椅子部材の座面を階段状に形成して格納部を形成し、これによって取っ手やバケツを略水平に格納できるように構成している。さらに、格納部の縦面で取っ手を支持しこれによってバケツのスライドを規制するように構成しているため、極めて簡単な構成で取っ手の格納及びバケツのスライドが規制できるものである。
【００１６】
請求項３に記載のポータブルトイレにおいては、前記取っ手は前記格納部の縦面に対して上下方向の動きが規制されるように嵌合機構を介して支持されるように構成されている。
【００１７】
これによって、嵌合機構の作用で取っ手の格納が確実に行われることから、一層確実にかつ強固にバケツのスライドを規制できる。また、嵌合感によって正規な位置にバケツが格納されていることを確実に認識でき、人的なミスを抑制できる。
【００１８】
さらに、嵌合機構によって取っ手の格納に対して拘束力を付与する構造であるためバケツの支持剛性が一層高まり、騒音を大きく下げることができるという極めて有効な効果を奏するものである。
【００１９】
請求項４に記載のポータブルトイレにおいて、前記便座が水平位置とされることで前記取っ手を覆い、これによって該取っ手を前記格納部内に格納規制することで前記バケツの第１位置から第２位置へのスライドが規制されるように構成されている。
【００２０】
これによって、便座で取っ手が格納部から飛び出ることを防止できるためバケツの搬送時等の振動があっても確実にスライドを規制できるという効果を奏することができる。
【００２１】
請求項５に記載のポータブルトイレにおいては、少なくとも前記バケツの第１位置で前記便座を水平位置とすることで前記バケツ上端面に着座するように構成され、前記便座の着座でバケツを押圧してバケツの動きが規制されるように構成されている。
【００２２】
これによって、バケツに便座の荷重が作用するためバケツの搬送時等の振動があっても確実にスライドが規制されるという効果に加え、用を足す際には人の荷重がバケツに作用するためバケツの支持剛性が一層高まり、バケツにスライド機構を付与した本構造にあっても、極めて高い支持剛性を付与できるため排尿時等の騒音を確実に低減できるという作用効果を奏するものである。
【００２３】
請求項６に記載のポータブルトイレにおいては、、前記バケツは、少なくとも第１位置で前記椅子部材の上面に対してバケツの上端面が突出するように格納されるとともに、前記便座は、前記水平位置で前記バケツ上端面に着座するように構成され、前記便座の着座でバケツを押圧してバケツの動きが規制されるように構成されている。
【００２４】
これによって、椅子部材の上端面となる座面からバケツの上端面を突出するように構成しているため確実に便座にバケツを当接させることが可能となるため、バケツのスライドの規制及び、バケツの支持剛性を高めることができる。さらに、座面から突出させた部分が便座とバケツの隙間を覆うため先の作用効果に加え、排尿時等の遮音をも行うことができるものである。
【００２５】
請求項７に記載のポータブルトイレにおいては、、前記バケツが第２位置にある時に前記取っ手が格納部の周縁に当接することで取っ手が格納部内に格納されないように構成するとともに、前記取っ手が当接する周縁もしくは、該周縁に当接する取っ手部に、取っ手の未格納状態で取っ手の傾斜角度が大になるようにする傾斜角度拡大手段が形成されている。
【００２６】
これによって、バケツが正規な第１位置に格納されていない場合は、取っ手が座面の周縁に当接し、かつ傾斜角度拡大手段の作用によって取っ手が大きく傾いた状態になるように構成される。そのため、使用者は、容易にバケツが正規な位置にないことが判断でき、バケツの格納不良状態で誤って用を足されるということを防止できる。
【００２７】
請求項８に記載のポータブルトイレにおいては、、前記傾斜角度拡大手段は、前記格納部の周縁に設けられた上方凸部もしくは、前記周縁に当接する取っ手部に形成された下方凸部である。
【００２８】
これによって、請求項７の効果を簡単な構成は達成できる。
【発明の効果】
【００２９】
本発明に係るポータブルトイレによれば、ポータブルトイレを重くしたりすることなく、洗浄装置のノズルや案内板との干渉を確実に避けながら簡単にバケツを取り出せ、かつ簡単にかつ確実に正規な位置に格納保持できるというポータブルトイレの分野において極めて優れた特有の効果を奏することができるものである。
【発明を実施するための最良の形態】
【００３０】
以下に本発明を実施するための最良の形態を図面に基づいて詳細に説明する。図１は本発明に係る洗浄装置付のポータブルトイレの斜視図を示すものであって、木製の椅子部材１の座面１ａ上には、その後端部にお尻を洗浄する洗浄装置２が固定されているとともに、この洗浄装置２の前面部に対してヒンジ３を介して便座４が図に示す水平位置と起立させた起立位置との２位置を取り得るように揺動自在に支持されている。
【００３１】
図中５は、ポータブルトイレを椅子として使用する際に使用者が着座するためのクッション性のある座部であり、この座部５は、便座４の上面を覆い、便座４に着座させる水平位置で座部となり、図に示すように支持部材５ａを介して二つ折りの状態で起立させることで、用を足すときには椅子部材１の背もたれ部１ｂに当接してクッション性のある背もたれとして機能するように構成されている。
【００３２】
なお、図中２ａは洗浄装置２の機能を選択する操作パネルであり、１ｅ，１ｆは肘掛である。図から見て取れるように一方側の肘掛１ｆが短く構成されており、これは、身体の不自由な人が短い肘掛１ｆ側から肘掛１ｆに身体を支えながらポータブルトイレに短くなった肘掛１ｆ側から身体を容易に滑り込ませることができるように配慮したものである。
【００３３】
次に、便座４の中心に開けられた開口部４ａ内に着目して説明する。便座４の下方で椅子部材１の座面１ａには開口部４ａと対応しつつ、開口部４ａより大きなバケツ６の収納用開口１ｄが形成されている。この収納用開口１ｄの周縁には後述するバケツ６を支え、かつ取っ手９が格納される下方に段下げされた階段状の格納部１ｃが形成されており、この格納部１ｃにバケツ６のフランジ６ａが載置されることでバケツ６が椅子部材１に支持されるように構成されている。また、この格納部１ｃには取っ手９も載置されるものであり、載置されることで水平の格納状態を維持するようになっている。また、取っ手９は、階段状の格納部の縦面１ｈに格納状態で当接するように構成されている。
【００３４】
図中７はバケツ６の開口を覆う蓋であって、この蓋７が臭いやバケツ６搬送時の溜め水の飛散を防止する役割を果たしているものである。
【００３５】
次に洗浄装置２の開口部４ａ側には、お尻を洗浄するためのノズル２ｂが図のような格納状態と伸張状態とを取り得るように設けられ、そのノズル２ｂの下方には椅子部材１の座面１ａに固定された案内板８が設けられている。この案内板８はノズル２ｂの下方に位置することで、ノズル２ｂが自らのノズル２ｂを洗浄するために噴射した洗浄水をバケツ６内に確実に案内するために設けられているものである。ここで、ノズル２ｂの洗浄について補足すると、ノズル２ｂが図の格納状態にある時に、ノズル２ｂを洗浄するために、ノズル２ｂからノズル２ｂの上方に位置する洗浄室２ｃの上壁に向けてノズル２ｂが自ら洗浄水を噴射し、その跳ね返りの洗浄水でノズル２ｂを清掃するように構成されており、このノズル２ｂを洗浄した洗浄水が案内板８の上面に落下し、そして案内板８を伝ってバケツ６内に落下するようになっているものである。
【００３６】
図２は、図１と同じく斜視図であるが、洗浄装置２、便座４及び座部５などを取り除いて、椅子部材１の座面１ａとバケツ６が確認しやすいようにしたものである。以下同様であるが、図１と同じものは同じ符号を付して詳細な説明を省略する。
【００３７】
図２では、便座４が取り除かれているため、便座４の前部下方に対応する位置にバケツ６を取り出したり、搬送するための略Ｕ字状の取っ手９がバケツ６の前方側で格納されていることが理解でき、この取っ手９は、更にバケツ６の側方上部に跨る形でバケツ６に揺動自在に取り付けられていることが見て取れる。なお、図に示す取っ手９の状態は、格納部１ｃに格納されて水平になった正規の格納状態である。
【００３８】
次に、図に示すバケツ６の正規な格納状態においては、バケツ６の中心から前方側の周囲全周に渡って隙間１０が連続的に設けられている。これは、座面１ａ上に形成されたバケツの収納用開口１ｄがバケツ６の長手方向となる前後方向長さより長く開口していることを意味し、これによってバケツ６が収納用開口１ｄ内で前後方向にスライドできるように構成されている。このスライドを保障できるように格納部１ｃ上でバケツ６のフランジ６ａがスライドできるように載置されていることは言うまでもない。
【００３９】
ここで、本発明の工夫点の一つを説明する。前述した通り隙間１０を設定することでバケツ６はスライド可能になっているものの、格納部１ｃ内に取っ手９を格納し、取っ手９が縦面１ｈに当接嵌合することでバケツ６のスライドは規制されるように構成されているものである。
これにより部屋のお掃除や部屋の模様替え、使用者の移動等に伴うポータブルトイレの搬送時に、その振動でバケツがスライドしてしまうという問題を確実に防止できるものである。よって、使用時にわざわざバケツの位置が正規な格納状態にあるか否かを確認することなく安心して用を足すことができるようになるものである。なお、取っ手９は、縦面１ｈに当接するだけでも良いが、本発明では、縦面１ｈを凹状にしてここに取っ手９の丸断面が取っ手９の弾性力を利用して嵌合するように構成しており、これによってバケツ６の支持剛性を高め、かつ取っ手９の外れを確実に抑制しているものである。
【００４０】
次に図３を用いて前述したバケツ６のスライドを許容した理由を説明する。図３は、一部断面図を用いた側面図であって、この図から明らかな通り、バケツ６は、正規な格納状態では先に述べたノズル２ｂの洗浄用の洗浄水を確実にトラップできるように、前記した案内板８の下方においてＬの長さだけ案内板８とバケツ６の後端がオーバーラップするように配置されている。これによって案内板８上を落下するノズル２ｂの洗浄用の洗浄水がバケツ６内に確実に落下させることができるものである。そのために、バケツ６の後端（図中左側）には図５からも明確な通り、案内板８とオーバーラップできるように後端部が凹部６ｂによって大きく切りかかれる形で構成されている。
【００４１】
次に、本件発明においては、バケツ６の取り出しを容易化するために取っ手９を格納状態で図に示す通り前方側に位置するように配置しており、これに関連して本件発明で更に工夫を施している観点につき説明をする。
【００４２】
バケツ６上面と便座４の下方には一般的に隙間Ｌ１が存在するが、本件発明においては、この隙間Ｌ１をバケツのフランジ６ａから上方に一体的に延設させることで構成した遮蔽部６ｃで遮蔽するように構成している。これによって、隙間Ｌ１から小水やバケツ６内の溜め水が飛び散って取っ手９の握り部９ｂにこれらが付着することを防止しているものである。この遮蔽部６ｃによって、清潔にバケツ６の取り出しを行うことができ介護をする方などの不快感を解消できるものである。
【００４３】
さらに、この遮蔽部６ｃは、便座４を図に示す水平位置にした場合には、その便座４の下面に押圧される形で密接に当接するように構成されており、これによって、図５に示すバケツ６の単体斜視図からも見て取れるように遮蔽部６ｃは後端部を除いて長く設けられているため、隙間Ｌ１を略全周に渡ってきっちりと遮蔽するため、ポータブルトイレでは大きな使用者の負担になっていた使用時の音という問題に対して有効に機能し、音の漏れを軽減し、トイレ専用ブースではないという使用環境にあっても、不安感、不快感を大きく持つことなく用を足すことができるという優れた効果を奏することも合わせてできるものである。
【００４４】
また、便座４の下面が直接バケツ６の遮蔽部材６ｃに当接するように構成しているため、便座４を水平位置にすることで便座４の荷重によってバケツ６のスライドが確実に規制できるものである。さらに、本発明では、便座４下面に遮蔽部材６ｃが当接するだけでなく、便座下面に設けた図示していない４箇所のゴム等で構成された変形可能な足が、遮蔽部材６ｃより外方側で階段状の格納部１ｃ内に格納されているバケツ６のフランジ６ａと椅子部材１の座面１ａに渡るような位置で、足自体が潰れることによって格納部１ｃ内にあるフランジ６ａに確実に当接するように構成されているため、遮蔽部材６ｃの過大な変形を抑制し、かつバケツ６のスライドを確実に防止できるように構成されているものである。
なお、本発明では、便座下面に設けた足がバケツのフランジ６ａに当接する構造であるが、これに限られるものではなく、取っ手９に当接する構造や、取っ手９とフランジ６ａの両方に当接する構造などであってもよく、要は便座４の重さがバケツ６に作用して搬送時における振動でスライドが抑制されるように構成されていれば良いことは言うまでもない。また、便座４によって、取っ手９が格納部１ｃ内から飛び出るのを防止しているものである。
【００４５】
次に図４を用いてバケツ６の取り出し・格納方法について詳述する。まずは、用を足した後にバケツ６を取り出す場合につき説明を行う。用を足した後、バケツ６を取り出すに当たっては、第４ａ図に示す如く、まずは便座４を起立状態に揺動させ、その後、露出した取っ手９の握り部９ｂを格納部１ｃから取り出し持ち上げながら矢印Ａ方向、すなわち自然な方向である使用者の方向に引っ張りながら取っ手９を持ち上げることで容易にバケツ６は格納部１ｃ内をバケツのフランジ６ａがスライドすることで前方となるＡ方向（図中左側）に移動し、案内板８とのオーバーラップが干渉してバケツ６は上方に取り出すことが可能になる。
【００４６】
ここで、本発明では更に工夫が施されている観点につき説明する。すなわち、Ａ方向にバケツ６をスライドさせるに当たり、バケツ６には溜め水に加え排泄物も入っているためある程度の重さがあるが、本件発明では、これが簡単にスライドできるように椅子部材１の格納部１ｃ上に当接するバケツ６のフランジ６ａの下面に突起６ｄを複数個一体的に形成することで接触面積を減らし、摺動抵抗を低下させて、これによってポータブルトイレの重さに抗してバケツ６だけが簡単に使用者側にスライドするようにしているものである。なお、ここでは、バケツ６に突起６ｄを設けているが、椅子部材１の格納部１ｃ側に突起を形成してもよく、また、突起に限らず、低摩擦のテープや低摩擦の樹脂部材を貼り付けたり、ローラーを用いるなどの低摩擦処理を行うことで良いことは言うまでもない。
【００４７】
なお、バケツ６が前方に移動した状態にあっては、第４ｂ図として紹介するまでもなく、取っ手９を介して上方に持ち上げることでバケツ６の後端は案内板８に干渉することなく取り出せるものである。
【００４８】
次にバケツ６をポータブルトイレに格納する手順を説明する。このバケツ６の格納は、溜め水が入っていると重くなるバケツ６を椅子部材１に一旦載置などした後に、力が入り難い方向となる自分から離れる方向にバケツ６を後方に移動させるという作業になる。これによって、案内板８とバケツ６の後端の干渉を避けながら、格納状態では両者をオーバーラップさせることができる。
【００４９】
以下に第４ｃ図を用いてバケツ６の格納操作を説明する。便座４を起立させた状態においてバケツ６を椅子部材１の収納用開口１ｄに挿通させるとともに、格納部１ｃにバケツ６のフランジ６ａを載せることでバケツ６を椅子部材１に載置する。この時点では、案内板８とバケツ６の凹部６ｂがオーバーラップしないか、若干配慮しながら後方に格納させれば僅かにオーバーラップしているという状況である。この状態では、バケツ６は完全な格納状態になっていないため、当然この状態でノズル２ａの洗浄や用を足されることは好ましくない。
【００５０】
そのために、本件発明においては、バケツ６が正規な格納状態になく取っ手９が格納部１ｃ内に収まらない状態では、図２の両側のＺ部において、取っ手９が格納部１ｃの周縁に当接して取っ手９が正規な水平な格納状態にならないようにしているのが一つの工夫点である。これによって取っ手９が起立した状態になる為バケツ６が非正規な格納状態にあることが目視ですぐに判断でき、さらに、便座４も正規な水平位置にならないためバケツ６が正規な格納状態にないことを容易に判断できる。よって、確実にバケツ６の非正常な格納状態で使用されるということを抑制できるものである。
【００５１】
さらに、本実施例においては、バケツ６が非正常な状態にあるとわかった場合は、使用者は再度取っ手９を持ってバケツを持ち上げながら後方に移動させることもできるが、この作業は辛いため、力が弱い人は、傾いている取っ手９を後方に押すことでバケツ６を容易にスライドさせることができ、これであればバケツ６を持ち上げたり、身体から離れる方向に重いバケツ６を移動させる等の作業が不要になるため極めて容易にバケツ６を正規な格納状態にでき、案内板８とバケツ６を確実にオーバーラップさせることができる。
【００５２】
さらに、本件発明では繊細な工夫を施しているものであり、図に示すようなバケツ６が正規な格納状態にない場合に、便座４を正規な位置にするように上から便座４を押圧する、もしくは用を足すために単に便座４に着座するという行為によって、便座４に設けた当接部４ａが取っ手９に当接しつつ取っ手９を下方に押圧する。これによって、取っ手９はその下方への力を受けて、取っ手９に形成した曲面状の曲面部９ｃが椅子部材１の格納部１ｃに形成した傾斜面１ｇに当接し、この傾斜面１ｇにガイドされることでバケツ６が後方側となる図面右側に移動し、案内板８とバケツ６の後端とが確実にオーバーラップする正規な位置までバケツ６が自動的にスライドするものである。以上のことから明確な通り、案内板８とバケツ６をオーバーラップさせるという辛い煩わしい作業を一切気にすることなくバケツを格納できるものである。
【００５３】
更に本件発明では、重いバケツ６のスライド動作を軽量化するために、バケツ６と格納部１ｃとの間に発生する摩擦力を低減するように工夫しており、これによって操作力を軽減できるだけでなく、取っ手９が変形してしまうと十分なスライド力を確保できなくなるが、摩擦力を低減することで取っ手９の強度を大きくする必要がなく、これによって、それでなくても重くなるバケツ６を重くしなくて良いという効果を奏することができるものである。具体的には、バケツ６のフランジ６ａの下面に格納部１ｃに点接触させるための突起６ｄが複数設けられているものである。
【００５４】
図４（ｃ）に示す実施例においては、取っ手９に曲面部９ｃを設け、格納部１ｃに傾斜面１ｇを形成してバケツ６を正規な位置にスライドできるように構成しているが、これに限られるものではなく、取っ手９に曲面部９ｃを設けることなく直線的に形成し、格納部１ｃに傾斜面１ｇを設けることなく、取っ手９が格納部１ｃの周縁、すなわち縦面１ｈの上端に当接することで取っ手９が傾斜するように構成しても良い事は言うまでもない。
【００５５】
また、図６（ａ）（ｂ）に示すものは、バケツ６を後方にスライドさせる機能はないものの、バケツ６が正規な格納状態にない場合には、取っ手９が大きく拡大して傾斜するように工夫したものであり、これによって一目で正規な位置にないということを使用者に知らせるようにした例である。
図６（ａ）は、取っ手９に図２のＺ部の座面１ａに当接するように曲面部９ｃを設けている実施例である。図４（ｃ）と異なるのは傾斜面１ｇが格納部に形成されていないことと、曲面部９ｃの形状がバケツ６をスライドさせることを狙っていないため鋭角に形成されているということである。
図６（ｂ）の実施例は、図２のＺ部の座面１ａ上に別体でスペーサ２０を設けたものであり、このスペーサ２０に取っ手９が当接することで図のように取っ手９が大きく拡大されて傾斜するようにしたものである。このスペーサ２０は、座面と一体的なものでも、本実施例のように別体のものでもよく、材質は弾性材や樹脂材で形成されて貼り付けられるような形態等が考えられるものである。
【００５６】
最後に、図５を用いてバケツ６の詳細を説明する。先の説明で説明した内容は同じ符号を付して省略する。このバケツ６は、消音バケツであり、第５ｂ図に示す通り小水が当接する部分に凸部６ｅが形成されている。この凸部６ｅは、凸部分の剛性を高めることで振動を抑制しているものであるが、本発明では、その凸部６ｅの形状を詳細に最適化しているものである。
【００５７】
具体的には、凸部６ｅ単に凸状に形成しただけでは、大きく凸状に突出させないと、面強度が高くできないため音の発生を軽減できず、さらに、凸部が高くなるため小水が凸部で分流して溜め水に落下することから落下音が大きく発生するという問題が生じる。本件発明では、まず、一段の棚部６ｆを形成し、その棚部６ｆの中央に上方が三角形状で下方に向かうほど広がるような形状の第２凸部６ｇを形成することで凸部６ｅを構成した。このように構成することで、凸部６ｅをさほど高くすることなしに面剛性を高めることができることから、小水の衝突による衝撃音や、小水が凸部の頂部で二つに分流してバケツ６内に集中して落下することがなく、凸部６ｅに膜がはるような形で溜め水に分散して落下するため落下音も大幅に軽減できるものである。
【００５８】
図中６ｈは、フランジ６ａの上面で、取っ手９の握り部９ｂに略対応する形で凹状に形成された水切り溝である。これは、遮蔽部材６ｃを設けてはいるものの、便座４の着座状態が不備であったりすると、遮蔽部材６ｃを乗り越えて僅かながらでも握り部９ｂ側に小水等が垂れてくる事が否定できない。この水切り溝９ｈは、そういう遮蔽部材６ｃを乗り越えて垂れてきた小水があっても、その小水が握り部９ｂに触れることがないように、その事前に水切り溝９ｈ内で溜まるようにしたものである。これで確実に握り部９ｂを前方側に格納した本件であっても、使用者は汚れに対する不安を招くことなく握り部９ｂを握ってバケツ６を搬送できるようにしたものである。
【図面の簡単な説明】
【００５９】
【図１】本発明に係るポータブルトイレの斜視図
【図２】同ポータブルトイレの一部装置を外した状態の斜視図
【図３】同ポータブルトイレの側面図
【図４】バケツの取出し、格納に関する動作説明図
【図５】バケツの単体図
【図６】傾斜角度拡大手段を示す概略図
【符号の説明】
【００６０】
１…椅子部材
１ａ…座面
１ｂ…背もたれ部
１ｃ…格納部
１ｄ…収納用開口
１ｅ…肘掛
１ｆ…肘掛
１ｇ…傾斜面
１ｈ…縦面
２…洗浄装置
２ｂ…ノズル
４…便座
５…座部
６…バケツ
６ａ…フランジ
６ｂ…凹部
６ｃ…遮蔽部材
６ｄ…突起
６ｈ…水切り溝
８…案内板
９…取っ手
９ｂ…握り部
９ｃ…曲面部
２０…スペーサ
Ｌ…オーバーラップ代
【図１】
2008104833.tif 000003
【図３】
2008104833.tif 000004
【図４】
2008104833.tif 000005
【図６】
2008104833.tif 000006
【図２】
2008104833.tif 000007
【図５】
2008104833.tif 000008
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
使用者が着座する椅子部材と、椅子部材の座面に着脱自在に載置される排泄物の容器となるバケツと、前記椅子部材に後端が揺動自在に枢着され、起立位置と前記バケツの上面を覆う水平位置とを取り得る便座とを備えたポータブルトイレにおいて、
前記便座の着座時における使用者の背中側となる後部側に設けられたノズルを備えた洗浄装置と、
格納状態にある前記ノズルの下方に位置し該ノズルから噴射された洗浄水をバケツ内に案内する案内板と、
前記案内板の下方に位置し、該案内板とオーバーラップするように椅子部材に載置された前記バケツを備え、
該バケツは、前記案内板とオーバーラップする第1位置と、第１位置から前方側にスライドした第２位置とを取り得るように前記椅子部材に対してスライド自在に載置されているとともに、
前記バケツには、前記椅子部材の前方側で略水平な格納状態を取り得る取っ手が揺動自在に枢着され、
該取っ手を前記格納状態とすることで、前記椅子部材に対する前記バケツの第２位置へのスライドを規制して第１位置にバケツを位置規制できるように、前記椅子部材に、前記取っ手を格納状態で略水平に格納する下方に段下げされた階段状の格納部を形成し、該格納部の縦面に前記取っ手が当接することで前記バケツのスライドが規制されるように構成されているものであって、
前記バケツが第２位置にある時に前記取っ手が格納部の周縁に当接することで取っ手が格納部内に格納されないように構成するとともに、前記取っ手が当接する周縁もしくは、該周縁に当接する取っ手部に、取っ手の未格納状態で取っ手の傾斜角度が大になるようにする傾斜角度拡大手段が形成されていることを特徴とするポータブルトイレ。
【請求項２】
請求項１に記載のポータブルトイレにおいて、前記取っ手は前記格納部の縦面に対して上下方向の動きが規制されるように嵌合機構を介して支持されるように構成されていることを特徴とするポータブルトイレ。
【請求項３】
請求項１に記載のポータブルトイレにおいて、前記便座が水平位置とされることで前記取っ手を覆い、これによって該取っ手を前記格納部内に格納規制することで前記バケツの第１位置から第２位置へのスライドが規制されるように構成されていることを特徴とするポータブルトイレ。
【請求項４】
請求項３に記載のポータブルトイレにおいて、少なくとも前記バケツの第１位置で前記便座を水平位置とすることで前記バケツ上端面に着座するように構成され、前記便座の着座でバケツを押圧してバケツの動きが規制されるように構成されていることを特徴とするポータブルトイレ。
【請求項５】
請求項４に記載のポータブルトイレにおいて、前記バケツは、少なくとも第１位置で前記椅子部材の上面に対してバケツの上端面が突出するように格納されるとともに、前記便座は、前記水平位置で前記バケツ上端面に着座するように構成され、前記便座の着座でバケツを押圧してバケツの動きが規制されるように構成されていることを特徴とするポータブルトイレ。
【請求項６】
請求項１に記載のポータブルトイレにおいて、前記傾斜角度拡大手段は、前記格納部の周縁に設けられた上方凸部もしくは、前記周縁に当接する取っ手部に形成された下方凸部であることを特徴とするポータブルトイレ。
【手続補正２】
【補正対象書類名】明細書
【補正対象項目名】０００９
【補正方法】変更
【補正の内容】
【０００９】
上記の課題を解決するため、使用者が着座する椅子部材と、椅子部材の座面に着脱自在に載置される排泄物の容器となるバケツと、前記椅子部材に後端が揺動自在に枢着され、起立位置と前記バケツの上面を覆う水平位置とを取り得る便座とを備えたポータブルトイレにおいて、
前記便座の着座時における使用者の背中側となる後部側に設けられたノズルを備えた洗浄装置と、
格納状態にある前記ノズルの下方に位置し該ノズルから噴射された洗浄水をバケツ内に案内する案内板と、
前記案内板の下方に位置し、該案内板とオーバーラップするように椅子部材に載置された前記バケツを備え、
該バケツは、前記案内板とオーバーラップする第1位置と、第１位置から前方側にスライドした第２位置とを取り得るように前記椅子部材に対してスライド自在に載置されているとともに、
前記バケツには、前記椅子部材の前方側で略水平な格納状態を取り得る取っ手が揺動自在に枢着され、
該取っ手を前記格納状態とすることで、前記椅子部材に対する前記バケツの第２位置へのスライドを規制して第１位置にバケツを位置規制できるように、前記椅子部材に、前記取っ手を格納状態で略水平に格納する下方に段下げされた階段状の格納部を形成し、該格納部の縦面に前記取っ手が当接することで前記バケツのスライドが規制されるように構成されているものであって、
前記バケツが第２位置にある時に前記取っ手が格納部の周縁に当接することで取っ手が格納部内に格納されないように構成するとともに、前記取っ手が当接する周縁もしくは、該周縁に当接する取っ手部に、取っ手の未格納状態で取っ手の傾斜角度が大になるようにする傾斜角度拡大手段が形成されている。
【手続補正３】
【補正対象書類名】明細書
【補正対象項目名】００１４
【補正方法】変更
【補正の内容】
【００１４】
また、本件発明においては、椅子部材の座面を階段状に形成して格納部を形成し、これによって取っ手やバケツを略水平に格納できるように構成している。さらに、格納部の縦面で取っ手を支持しこれによってバケツのスライドを規制するように構成しているため、極めて簡単な構成で取っ手の格納及びバケツのスライドが規制できるものである。
【手続補正４】
【補正対象書類名】明細書
【補正対象項目名】００１５
【補正方法】変更
【補正の内容】
【００１５】
また、バケツが正規な第１位置に格納されていない場合は、取っ手が座面の周縁に当接し、かつ傾斜角度拡大手段の作用によって取っ手が大きく傾いた状態になるように構成される。そのため、使用者は、容易にバケツが正規な位置にないことが判断でき、バケツの格納不良状態で誤って用を足されるということを防止できる。
【手続補正５】
【補正対象書類名】明細書
【補正対象項目名】００１６
【補正方法】変更
【補正の内容】
【００１６】
請求項２に記載のポータブルトイレにおいては、前記取っ手は前記格納部の縦面に対して上下方向の動きが規制されるように嵌合機構を介して支持されるように構成されている。
【手続補正６】
【補正対象書類名】明細書
【補正対象項目名】００１９
【補正方法】変更
【補正の内容】
【００１９】
請求項３に記載のポータブルトイレにおいては、少なくとも前記バケツの第１位置で前記便座を水平位置とすることで前記バケツ上端面に着座するように構成され、前記便座の着座でバケツを押圧してバケツの動きが規制されるように構成されている。
【手続補正７】
【補正対象書類名】明細書
【補正対象項目名】００２１
【補正方法】変更
【補正の内容】
【００２１】
請求項４に記載のポータブルトイレにおいては、少なくとも前記バケツの第１位置で前記便座を水平位置とすることで前記バケツ上端面に着座するように構成され、前記便座の着座でバケツを押圧してバケツの動きが規制されるように構成されている。
【手続補正８】
【補正対象書類名】明細書
【補正対象項目名】００２３
【補正方法】変更
【補正の内容】
【００２３】
請求項５に記載のポータブルトイレにおいては、前記バケツは、少なくとも第１位置で前記椅子部材の上面に対してバケツの上端面が突出するように格納されるとともに、前記便座は、前記水平位置で前記バケツ上端面に着座するように構成され、前記便座の着座でバケツを押圧してバケツの動きが規制されるように構成されている。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
請求項６に記載のポータブルトイレにおいては、、前記傾斜角度拡大手段は、前記格納部の周縁に設けられた上方凸部もしくは、前記周縁に当接する取っ手部に形成された下方凸部である。
【手続補正１２】
【補正対象書類名】明細書
【補正対象項目名】００２８
【補正方法】変更
【補正の内容】
【００２８】
これによって、請求項６の効果を簡単な構成によって達成できる。